(57)【要約】【課題】役物の入口から役物下方に伸びる遊技球の通路を設けた場合においても、役物の入口において遊技球の球詰まりを防止することができる遊技機の役物を提供すること。【解決手段】遊技盤内に射出される遊技球の落下方向をよぎる方向において揺動自在な羽根部材及び前記羽根部材に対向する立ち壁によって遊技球の通路を形成し、前記立ち壁が前記通路をよぎる方向において移動自在な壁部材を含んでいること。【選択図】図２
2009207729.tif 000002
【特許請求の範囲】
【請求項１】
遊技機の遊技盤内に配置される役物であって、
前記遊技盤内に射出される遊技球の落下方向をよぎる方向において揺動自在な羽根部材と、
前記羽根部材に対向して前記遊技球の通路を形成する立ち壁と、を含み、
前記立ち壁が前記通路をよぎる方向において移動自在な壁部材を含むことを特徴とする役物。
【請求項２】
前記壁部材は、その上方端の回りに揺動自在であることを特徴とする請求項１記載の役物。
【請求項３】
前記立ち壁は、前記壁部材の下方に配置された案内部材を更に有し、前記案内部材の上方端は、前記通路を基準として前記壁部材の下方端の静止位置よりも後退していることを特徴とする請求項２記載の役物。
【請求項４】
前記立ち壁は、前記壁部材を前記通路に向けて付勢する付勢手段を更に有することを特徴とする請求項２又は３記載の役物。
【発明の詳細な説明】
【技術分野】
【０００１】
本発明は、遊技機に設けられる役物に関する。
【背景技術】
【０００２】
遊技機として、センター役物を備える羽根モノと呼ばれるパチンコ機が知られており、次のような構成を有している。
【０００３】
遊技球による遊技が展開される遊技領域を備えた遊技盤を前面に有し、遊技球の遊技領域への打ち出し強度を調整するハンドルや遊技球を収容する受け皿が、かかる遊技盤の下方に設けられている。また、遊技領域は、ガイドレールによって囲繞されており、その略中央部にセンター役物を備えている。センター役物の周囲には、遊技釘、風車及び入賞口等が具備されている。さらに、遊技機は、打撃によって遊技球を遊技領域に打ち出す発射装置を所定の位置に有している。該発射装置は、受け皿から送り出される遊技球を簡易なレール構造を介して順次受け取るべく、一般的に受け皿近傍に設置されている。発射装置に導入された遊技球は、ハンドルで調整された打ち出し強度に応じた速度で打ち出され、ガイドレールに沿って延びる誘導レールを経由し、遊技領域内を乱舞しながら流下する。遊技領域内に打ち出された遊技球が特定の入賞口に入賞すると、センター役物の入口が開く。開口した入口から遊技球がセンター役物内に入ると、かかる遊技球はセンター役物内に設けられた振り分け機構によって、Ｖ入賞口若しくは外れ口に振り分けられる。Ｖ入賞口は大当たりの入賞口であり、Ｖ入賞口に遊技球が入ると多数の賞球が遊技者に払い出される。
【０００４】
上述したパチンコ機において、センター役物の入口の開閉は、センター役物の入口に設置された羽根によって行われている。すなわち、羽根が開いている状態においては遊技球がセンター役物内へ侵入することができ、羽根が閉じている状態においては遊技球がセンター役物内へ侵入することができない構造となっている。かかる構造の問題点としては、遊技球のセンター役物の入口の通過タイミングと羽根の閉じる動作のタイミングが合ってしまい、遊技球がセンター役物の壁と羽根とに挟まる球噛み（すなわち、球詰まり）が発生することが知られていた。かかる球詰まりの状態で遊技を続けると球詰まりを起こしている場所を基点として、後続する遊技球が更に球詰まりを起こし、遊技球が流下しなくなる故、遊技の続行が不可能となる。このような状態に陥ると、ホール係員を呼び出し、かかる球詰まりを解消してもらう必要があった。
【０００５】
上述したホール係員による球詰まりの除去手段としては、ガラス板を開き手作業によって詰まった遊技球を除去することが従来から行なわれていた。しかしながら、このような球詰まり除去手段によると、遊技者は操作ハンドルを放して一端遊技を中段することとなり、遊技者は遊技に集中することができなくなる問題点があった。
【０００６】
また、操作ハンドルから手を放すことによって、再度操作ハンドルを回しながら打出強度の調整が必要となり、遊技者への無駄な作業をもたらすという問題点もあった。更に、球詰まりによってセンター役物内への遊技球の誘導タイミングを逃した場合には、遊技者に不利益をもたらすこととなり遊技への関心が失われる問題点もあった。
【０００７】
このような問題点を解決する方法として、特許文献１及び特許文献２にセンター役物の入口での球詰まりを防止することができる遊技機の役物が開示されている。
【特許文献１】特開平１１−３１９２３１号公報
【特許文献１】特開２００３−７９８６１号公報
【発明の開示】
【発明が解決しようとする課題】
【０００８】
特許文献１に記載された遊技機の役物は、上飾りとかかる上飾りの下方且つ水平方向に延びる筒状空間の両側面を塞ぐ開閉式の羽根とが隣接して設けられており、上飾りの下方空間の側面と開放した羽根との間の間隔が役物への入口となるような構造である。かかる羽根は、回転軸である一端を基点として揺動自在であり、他端が上飾りの端部と接触するか又は遊技球が通過できないほど近接した位置にあるときに、役物の入口が閉じた状態となる。かかる構造によって、遊技球が役物と羽根との間に詰まる位置が上飾り端部と羽根の端部との間に限定され、遊技球の球詰まりが発生する確率を下げることができる。
【０００９】
特許文献２に記載された遊技機の役物は、特許文献１に記載された遊技機の役物とほぼ同一の構造となっているが、羽根の内側に板バネが設けてられている。かかる板バネによって遊技球が上飾りの端部と羽根の端部との間に挟まった場合においても、板バネが遊技球を弾くことができることから、遊技球の球詰まりを防止することができる。
【００１０】
特許文献１及び２に記載された遊技機の役物において、役物の入口を通過した遊技球は、役物上部で中央部分に集められた後に下方に位置する振り分け装置等に導かれるため、役物内に侵入したときの遊技球の勢い（侵入速度）に依存することなく、振り分け装置の振り分けのタイミングのみによって大当たりか否の振り分けが行われている。その結果、かかる役物を備えたパチンコ機を操作する遊技者は、遊技球が役物内に侵入した時点で、振り分け装置における遊技球の位置に応じて最終的な振り分け先を予測することが可能となり、遊技の興趣を損なうという問題点があった。
【００１１】
かかる問題を解消する方法として、遊技球が役物の入口を通過後に鉛直方向（すなわち、役物下方）に流下させるための通路を形成し、役物の入口を通過した遊技球の勢いに応じて振り分け装置への導入位置を選択的に変更し、Ｖ入賞口に遊技球が入賞するか否かを予測困難にする方法がある。
【００１２】
しかしながら、上述する構造においては、かかる通路を形成する立壁と羽根との対向する面積が大きくなるため、特許文献１及び２に記載された役物構造では、立壁と羽根との間における遊技球の球詰まりを防止することが困難となってしまう問題点がある。
【００１３】
本発明は、以上の如き事情に鑑みてなされたものであり、役物の入口から役物下方に伸びる遊技球の流下通路を設けた場合においても、役物の入口において遊技球の球詰まりを防止することを可能とする遊技機の役物を提供することを目的としている。
【課題を解決するための手段】
【００１４】
上述した課題を解決するために、遊技機の遊技盤内に配置される役物であって、前記遊技盤内に射出される遊技球の落下方向をよぎる方向において揺動自在な羽根部材と、前記羽根部材に対向して前記遊技球の通路を形成する立ち壁と、を含み、前記立ち壁が前記通路をよぎる方向において移動自在な壁部材を含むことを特徴とする役物が提供される。
【００１５】
また、前記壁部材は、その上方端の回りに揺動自在であっても良い。
【００１６】
また、前記立ち壁は、前記壁部材の下方に配置された案内部材を更に有し、前記案内部材の上方端は、前記通路を基準として前記壁部材の下方端の静止位置よりも後退していても良い。
【００１７】
更に、前記立ち壁は、前記壁部材を前記通路に向けて付勢する付勢手段を有していても良い。
【発明の効果】
【００１８】
本発明による遊技機の役物によれば、遊技盤内に射出される遊技球の落下方向をよぎる方向において揺動自在な羽根部材及び前記羽根部材に対向する立ち壁によって遊技球の通路を形成し、前記立ち壁が前記通路をよぎる方向において移動自在な壁部材を含んでいる故、役物の入口から役物下方に伸びる遊技球の通路を設けた場合においても、役物の入口において遊技球の球詰まりを防止することができる。
【発明を実施するための形態】
【００１９】
以下、本発明の実施例としての役物を含むパチンコ機について、添付図面を参照しつつ詳細に説明する。
【実施例１】
【００２０】
図１に示されているように、パチンコ機１０は、本体基部となる本体枠１１と、本体枠１１の内部に配置された遊技盤１２と、遊技盤１２の前方に設けられていて本体枠１１に対して開閉自在な前面枠１３と、を有する。遊技盤１２は、その盤面上にガイドレール１４で囲まれた遊技領域１２aを備えており、かかる遊技領域１２aに向けて遊技球が打ち出される。
【００２１】
前面枠１３の下方には、下扉枠１５が設けられている。下扉枠１５には、遊技者が保有する遊技球を収容する受け皿１５ａが設けられ且つ遊技球の発射の制御及び発射強度を制御するためのハンドル１６が設けられている。ハンドル１６は、パチンコ機１０の右側部に配置されており且つ遊技者が握りやすいように下扉枠１５の表面高さから突出している。ハンドル１６には、人体が触れることに応答して接触信号を生成する接触検知センサ（図示せず）が設けられている。当該接触検知センサから出力される接触信号は、パチンコ機１０の背面側に設けられた制御装置（図示せず）に入力される。
【００２２】
また、ハンドル１６には、所定の角度範囲内で回動自在な打出調整部１７が設けられている。打出調整部１７は、パチンコ機１０の背面側に設けられた遊技球の発射装置（図示せず）を駆動せしめる操作スイッチになっており、打出調整部１７を基準位置から時計回り方向に回動せしめることによって該発射装置が作動するようになっている。打出調整部１７は、バネ等の弾性体により反時計回り方向への付勢力が付与されており、待機状態においては基準位置に位置している。基準位置とは打ち出し調整部１７の回動量がゼロである位置のことであり、かかる基準位置に打出調整部１７が位置している場合には、遊技球は遊技盤１２の遊技領域１２ａに打ち出されないようになっている。
【００２３】
遊技盤１２には、遊技球の流下方向を変化せしめる多数の遊技釘（図示せず）が植設され、更には、風車等の役物（図示せず）が設けられている。また、遊技盤１２の最下部には入賞しなかった遊技球を回収するアウト口（図示せず）が設けられている。
【００２４】
また、遊技盤１２のほぼ中央には、センター役物として特別電動役物等の入賞領域を有する入賞装置１８が設けられている。入賞装置１８は、当該機構内への遊技球の通過の許否を振り分ける1対の羽根部材である羽根１９を有している。
【００２５】
羽根１９は、遊技盤１２に設けられた始動口すなわちメインチャッカー２０ａ及びサブチャッカー２０ｂ、２０ｃを通過することを契機として開閉することとしても良い。例えば、各チャッカーには、通過検知センサ（図示せず）が備えられ、遊技球の球検知信号を制御装置（図示せず）に送信することを可能とし、制御装置は、メインチャッカー２０ａの球検知信号を受信した場合には羽根１９を２回開き、サブチャッカー２０ｂ、２０ｃの球検知信号を受信した場合には羽根１９を1回開くこととしても良い。羽根１９が開状態にあるときに、遊技球を入賞装置１８内に導くことが可能になる。
【００２６】
次に、図２及び図３を参照しつつ、センター役物の構造について詳細に説明する。
【００２７】
図２及び図３に示されているように、入賞装置１８は、前方（遊技者）に向かって開口する箱状の大枠２１、大枠２１の開口周囲から鍔状に広がるように支持された後枠２２並びに後枠２２から前方に向かって遊技球の直径より少し大きく（例えば、遊技球の直径の約１．２倍）離間且つ対向して配置された略半円形の上部前枠２３ａ及び上部前枠２３ａと面一且つ間隔を空けた凹状の下部前枠２３ｂを有している。なお、大枠２１は鍔状に限られることがなく、フランジ状であっても良い。上部前枠２３ａは、その下方且つ水平方向に延びる空間の両側方上部を塞ぐように、後枠２２と上部前枠２３ａとの間に設けられた一対の略半円弧状の上壁２４を介して後枠２２に接続されている。上壁２４によって、入賞装置１８の上方から入賞装置１８内への遊技球の侵入を防止している。上壁２４の両各下端から下方（すなわち、遊技球の落下方向）に向かって連続するように設けられ、遊技球が通過不可能な幅で離間した位置に、移動自在な壁部材である可動壁２５が設けられている。可動壁２５は、遊技球の落下方向に向かって伸びており、上方端を前後方向（すなわち、遊技領域１２ａをよぎる方向）に伸びる回転軸として後枠２２に左右方向（すなわち、遊技領域１２ａと平行方向）で揺動自在に固定されている。可動壁２５の回転軸として固定されていない他端である下方端には、付勢手段としてバネ２６が固着されている。
【００２８】
可動壁２５の外表面から外方に遊技球の直径より少し大きく離間し、且つ、後枠２２と下部前枠２３ｂとの間であって、下部前枠２３ｂの上部両端に回転軸１９ａを有し、入賞装置１８への遊技球の通過の許否を振り分ける羽根１９が設けられている。羽根１９は、後枠２２、下部前枠２３ｂ及び羽根開閉機構（図示せず）に取り付けられており、該羽根部開閉機構によって回転軸１９ａを回転させて、羽根１９の上側先端と可動壁２５とが隣接する閉じ位置から可動壁２５と離間する開放位置へと開閉動作を行う。羽根１９の鉛直下方且つ後枠２２と下部前枠２３ｂとの間であって、遊技球が通過不可能な幅で離間した位置に下部外壁２７ａが設けられている。下部外壁２７ａは、羽根１９によって入賞装置１８内に振り分けられた遊技球の入賞装置１８外に向かった流下を防止するために設けられている。また、可動壁２５の鉛直下方であって下部外壁２７ａに対向して略平行に下部内壁２７ｂが設けられている。下部内壁２７ｂは、下部前枠２３ｂ及び下部外壁２７ａと後述するステージまでの誘導路１００を形成している。下部内壁２７ｂの上方端には、羽根１９によって入賞装置１８内に振り分けられた遊技球を誘導路１００に導くための案内部材である案内壁２８が固定されている。案内壁２８は、入賞装置１８の内部側に傾斜させつつ後枠２２にも固定されている。羽根１９が開いた状態においては、羽根１９、上壁２４、可動壁２５及び案内壁２８によって、導入路１１０が構成されることとなる。案内壁２８の下部内壁２７ｂと固定されている端部と反対側の一端である上方端には、バネ２６が固着されている。すなわち、バネ２６は、可動壁２５と案内壁２８との間に位置し、可動壁２５を導入路１１０に向けて付勢することとなる。可動壁２５、バネ２６及び案内壁２８の接続構成によって、可動壁２５は、案内壁２８の下方端の位置よりも入賞装置１８内部へと揺動することを防止する。すなわち、案内壁２８は、導入路１１０を基準として可動壁２５の下方端の静止位置よりも常に後退していることとなる。ここで、静止位置とは、可動壁２５が鉛直方向に向かって伸びている状態における位置をいう。なお、誘導路１００と導入路１１０によって遊技球の通路が形成されている。また、導入路１１０及び誘導路１００を形成する上壁２４、可動壁２５、下部外壁２７ａ、下部内壁２７ｂ及び案内壁２８から立ち壁が構成されているものとする。
【００２９】
左右の下部内壁２７ｂの間には、遊技球を高確率経路又は低確率経路（いずれも図示せず）に振り分けるステージ３０が設けられている。ステージ３０は、上下方向にうねっている波型板体である。該波型板体は左右方向に伸長しており、左右方向における中央部は両端部に比べて高くなっている。また、該波型板体の中央部に第１谷部３０ａが設けられている。当該波型板体は、全体的に奥から手前側にかけて下方に傾斜している。第１谷部３０ａは手前から奥側にかけて下方に傾斜しており、遊技球の高確率経路への入口となる。例えば、高確率通路は、第１谷部３０ａから導入された遊技球を後述する振り分け装置のＶ入賞口に高確率で到達せしめる通路を含んでいても良い。該波型板体は、左右方向における両端部と下部内壁２７ｂとの境界において第２谷部３０ｂを形成している。第２谷部３０ｂは奥側から手前に向けて傾斜しており、かかる傾斜によって、下部内壁２７ｂの手前側に設けられている低確率経路へ遊技球を導くことができる。
【００３０】
下部内壁２７ｂには、誘導路１００を通過した球技球をステージ３０に導入するための球導入口３１が設けられている。また、下部内壁２７ｂには、球導入口３１の手前側（すなわち、遊技者側）に低確率経路へ誘導するための誘導口３２が設けられている。誘導口３２の下方には、低確率通路を通過した遊技球を排出するための球排出口３３が設けられている。球排出口３３から排出された遊技球を入賞装置１８の最下方に位置する振り分け装置３４に案内する案内路３５が、球排出口３３から振り分け装置３４の間に設けられている。なお、振り分け装置３４は、１つのＶ入賞口及び複数の外れ口（図面においては、区別していない）を有している。また、振り分け装置３４は所定の速度にて回転しているため、振り分け装置３４への遊技球の導入タイミングに応じて、Ｖ入賞するか否かの振り分けが行われている。
【００３１】
なお、入賞装置１８は、後枠２２が遊技盤１２と面一になるように、遊技盤１２の中央部分に設けられた孔にはめ込まれる。また、大枠２１は、遊技盤１２に対してネジ等の固定部品で取り付けられるように貫通孔（図示せず）が設けられている。
【００３２】
次に、入賞装置１８に導入された遊技球の振り分け装置３４までの経路について、図３を参照しつつ説明する。
【００３３】
羽根１９が開くことによって導入路１１０から導入された遊技球は、誘導路１００を通過して球導入口３１よりステージ３０に導入されることとなる。ステージ３０は波型に形成されているため、導入された遊技球の勢い（すなわち、落下スピード）に応じて、第１谷部３０ａ又は第２谷部３０ｂに到達し、高確率経路又は低確率経路を通過して振り分け装置３４に到達することとなる。
【００３４】
球導入口３１に到達した遊技球の勢いは、遊技球の落下方向に向けて形成された導入路１１０及び誘導路１００によって遊技球毎に異なることとなり、特に導入路１１０の通過スピードに依存することとなる。従って、羽根１９や可動壁２５等に接触するか否かによって、高確率経路又は低確率経路のいずれか一方を通過することとなり、遊技者の遊技中の興趣を維持せしめることが可能となる。
【００３５】
次に、入賞装置１８内に導入される際に球噛みが発生した場合における羽根１９及び可動壁２５の動作について、図４（ａ）から図４（ｄ）を参照しつつ詳細に説明する。
【００３６】
羽根１９が開いた状態にある場合に、遊技球が導入されることとなる（図４（ａ））。遊技球が導入路１１０を通過時に羽根１９が閉じると、遊技球は羽根１９と可動壁２５との間に挟まることとなる（図４（ｂ））。この状態において、羽根１９は更に入賞装置１８の内部に向かって閉じようとし、遊技球が可動壁２５の方向に更に押される。可動壁２５はその上方端を揺動軸として揺動自在であるため、遊技球が羽根１９に押されると、可動壁２５も入賞装置１８の内部（すなわち、導入路１１０をよぎる方向）に向かって揺動する。ここで、揺動方向は、図４（ｂ）の矢印４ｂの方向となる。
【００３７】
可動壁２５が図４（ｂ）の方向に揺動することによって、挟まれた遊技球は可動壁２５に沿って動くことが可能となり、誘導路１００に向かって落下することとなる（図４（ｃ））。その後、羽根１９は閉じた状態となり、可動壁２５は揺動軸の下方端に取り付けられたバネ２６の導入路１１０に向けた付勢によって静止位置に戻ることとなる（図４（ｄ））。
【００３８】
従って、上述した可動壁２５の揺動によって、遊技球の導入路１１０の通過時に羽根１９が閉じてしまっても、球噛みが発生することがなく、遊技を継続することができることとなる。
【００３９】
以上のように、本発明の実施例の遊技機は、遊技盤内に射出される遊技球の落下方向をよぎる方向において揺動自在な羽根部材及び前記羽根部材に対向する立ち壁によって遊技球の通路を形成し、前記立ち壁が前記通路をよぎる方向において移動自在な壁部材を含んでいる故、役物の入口から役物下方に伸びる遊技球の通路を設けた場合においても、役物の入口において遊技球の球詰まりを防止することができる。
【実施例２】
【００４０】
第１の実施例における可動壁に付勢手段であるバネを取り付けずに、可動壁のストッパーとして機能するように案内壁を設けても良い。かかる構成について図５（ａ）を参照しつつ詳細に説明する。なお、第１の実施例と同様の部分については、同一符号を使用してその説明は省略する。
【００４１】
図５（ａ）に示されているに、可動壁２５が入賞装置１８の内部に向けて揺動した場合に、可動壁２５と接触するように案内壁５１を設けても良い。すなわち、案内壁５１の上方端（可動壁２５との接触部分）は、導入路１１０を基準として可動壁２５の下方端（案内壁５１と接触する部分）の静止位置よりも常に後退していることとなる。かかる構成によって、案内壁５１が可動壁２５のストッパーとして機能し、可動壁２５の揺動範囲を制限することとなる。なお、可動壁２５は、揺動した場合でも重力により、鉛直方向に伸びる静止位置に戻ることとなる。
【００４２】
また、図５（ｂ）に示されているように、可動壁２５の揺動を規制するストッパー５２を可動壁２５よりも入賞装置１８の内側に配置しても良い。例えば、ストッパー５２は、後枠２２に固定されていても良い。案内壁５３の上方端は、可動壁２５がストッパー５２と接触した場合におけるその下方端の位置よりも、入賞装置１８の内側に位置することが望ましい。かかる構成によって、可動壁２５と案内壁５３との間に遊技球が滞留することがなくなるからである。
【実施例３】
【００４３】
第１の実施例における可動壁に付勢手段であるバネを取り付けずに、可動壁の専用ストッパーを設けても良い。かかる構成について図５（ｂ）を参照しつつ詳細に説明する。なお、第１の実施例と同様の部分については、同一符号を使用してその説明は省略する。
【００４４】
また、図５（ｂ）に示されているように、可動壁２５の揺動を規制するストッパー５２を可動壁２５よりも入賞装置１８の内側に配置する。例えば、ストッパー５２は、後枠２２に固定されていても良い。案内壁５３の上方端は、可動壁２５がストッパー５２と接触した場合におけるその下方端の位置よりも、入賞装置１８の内側に位置することが望ましい。かかる構成によって、可動壁２５と案内壁５３との間に遊技球が滞留することがなくなるからである。
【図面の簡単な説明】
【００４５】
【図１】本発明の第１の実施例である役物を有する遊技機の外観正面図である。
【図２】本発明の第１の実施例である役物の外観正面図である。
【図３】本発明の第１の実施例である役物の斜視図である。
【図４】本発明の第１の実施例としての役物の一部である羽根及び導入路の拡大図である。
【図５】（ａ）は本発明の第２の実施例としての役物の一部である羽根及び導入路の拡大図、（ｂ）は本発明の第３の実施例としての役物の一部である羽根及び導入路の拡大図である。
【符号の説明】
【００４６】
１０  パチンコ機（遊技機）
１２  遊技盤
１８  入賞装置
１９  羽根
２４  上壁
２５  可動壁
２６  バネ
２７ａ  下部外壁
２７ｂ  下部内壁
２８  案内壁
１００  誘導路
１１０  導入路
【図１】
2009207729.tif 000003
【図２】
2009207729.tif 000004
【図３】
2009207729.tif 000005
【図４】
2009207729.tif 000006
【図５】
2009207729.tif 000007